(57)【要約】【課題】足の裏のツボを刺激でき、遠赤外線に反応して「摩擦エネルギー」の放射が可能となることで、無理なく自然に使用できるようになる靴の中敷タイプの健康増進器具を提供する。【解決手段】靴の中敷タイプの健康増進器具１０は、ベースシート１１と樹脂製メッシュ１２との間に銅マイクロファイバー１３が挟み込まれ、樹脂製メッシュ１２にクッションシート１４を介して抗菌シート１５が貼り付けられている。銅マイクロファイバー１３は、抗菌効果を発揮する銅イオンの発生が可能である。抗菌シート１５の表面には複数の突起を形成し、かつ足１７の裏から発せられる体温と遠赤外線に反応して抗菌シートから「摩擦エネルギー」が放射されるように形成している。【選択図】　図１
2004065717.tif 000002
【特許請求の範囲】
【請求項１】
吸水性に優れたベースシートの上面に樹脂製メッシュを貼り付けるとともに、このベースシートと樹脂製メッシュとの間に銅マイクロファイバーを挟み込み、この樹脂製メッシュの上面にクッションシートを貼り付け、さらにこのクッションシートの上面に抗菌シートを貼り付けてなる靴底に敷いて使用する靴の中敷タイプの健康増進器具であって、前記銅マイクロファイバーは、抗菌効果を発揮する銅イオンの発生が可能であり、前記抗菌シートは、表面に複数の突起が形成され、かつ足の裏から発せられる体温と遠赤外線に反応して摩擦エネルギーを放射することが可能な構成であることを特徴とする靴の中敷タイプの健康増進器具。
【請求項２】
前記ベースシートに通気用の孔を形成したことを特徴とする請求項１に記載の靴の中敷タイプの健康増進器具。
【請求項３】
前記ベースシートに液状の抗菌剤が含浸されていることを特徴とする請求項１又は２に記載の靴の中敷タイプの健康増進器具。
【請求項４】
前記ベースシートは、ダンボール、布で形成されたことを特徴とする請求項１乃至３の何れかに記載の靴の中敷タイプの健康増進器具。
【請求項５】
前記抗菌シートに無機質抗菌剤が含浸されていることを特徴とする請求項１乃至４の何れかに記載の靴の中敷タイプの健康増進器具。
【請求項６】
前記抗菌シートの上面にポリエステルメッシュを着脱自在に貼り付けたことを特徴とする請求項１乃至５の何れかに記載の靴の中敷タイプの健康増進器具。
【発明の詳細な説明】
【０００１】
【発明の属する技術分野】
本発明は靴の中敷タイプの健康増進器具に係り、特に足の裏のツボを刺激することで体調を良好に維持することができる靴の中敷タイプの健康増進器具に関する。
【０００２】
【従来の技術】
近年、健康管理についての関心が高く、健康管理の方法として足の裏の、いわゆるツボに刺激を与える方法が知られている。足の裏のツボを刺激すると、内臓が活性化され、対応する臓器の働きを良好に維持すると云われているからである。
足の裏に刺激を与える健康具としては、足踏み竹等が一般的に使われている。
【０００３】
この足踏み竹を使用する際には、使用者が足踏み竹に乗って、足の裏のツボに足踏み竹を押し付け、足の裏のツボに刺激を与え、これにより内臓を活性化させて身体を健康に保つことができる。
【０００４】
この足踏み竹は、使用者が乗るだけの簡単な動作で、身体の健康を良好に維持できるので、健康具の中でも比較的実行しやすく、広く一般的に受け入れられている。
【０００５】
【発明が解決しようとする課題】
しかるに、足踏み竹の利用に際し、利用者が多忙なときには、足踏み竹に乗るための時間さえ確保することが難しいことが考えられる。
【０００６】
このため、足踏み竹を間断なく長期間に亘って利用することができないのが現状であり、特に多忙な人にこそ健康管理が必要であることより、そのための健康具の実用化が望まれていた。
【０００７】
ここで、足のツボに刺激を与える際に、ツボに刺激を与えながらマイナスイオンや遠赤外線をツボに放射することで、内臓がより一層活性化されて健康の維持によいことが知られている。
しかしながら、この考え方に基づく健康具も多忙な人が長期間に亘って無理なく利用することができるように配慮されているとは云い難く、その点で改良の余地があった。
【０００８】
本発明は、足の裏のツボを刺激するとともに遠赤外線をツボに放射することが可能で、加えて無理をすることなく、日常生活の中で自然に使用することが可能な靴の中敷タイプの健康増進器具を提供して、上述の全ての問題点を解消しようとするものである。
【０００９】
【課題を解決するための手段】
上記目的を達成するために請求項１記載の発明は、吸水性に優れたベースシートの上面に樹脂製メッシュを貼り付けるとともに、このベースシートと樹脂製メッシュとの間に銅マイクロファイバーを挟み込み、この樹脂製メッシュの上面にクッションシートを貼り付け、さらにこのクッションシートの上面に抗菌シートを貼り付けてなる靴底に敷いて使用する靴の中敷タイプの健康増進器具であって、前記銅マイクロファイバーは、抗菌効果を発揮する銅イオンの発生が可能であり、前記抗菌シートは、表面に複数の突起が形成され、かつ足の裏から発せられる体温と遠赤外線に反応して摩擦エネルギーを放射することが可能な構成であることを特徴とする靴の中敷タイプの健康増進器具である。
【００１０】
上記した本発明に係る靴の中敷タイプの健康増進器具は、クッションシートの上面に抗菌シートを貼り付けており、抗菌シートの表面に複数の突起を形成したので、抗菌シートの突起で足の裏のツボを刺激することができる。
【００１１】
よって、足の裏から発せられる体温と遠赤外線に反応して、抗菌シートからマッサージと同じ現象を起こす「摩擦エネルギー」が放射されるようになる。
これにより、足の裏が人間の手でこすられて温かくなるのと同じような効果が得られるようになる。
【００１２】
また、吸水性に優れたベースシートを使用することで、足から発汗した汗をこのベースシートで吸い取ることができるので、靴の中に溜まった汗で足が蒸れるということは防止できる。
【００１３】
さらに、銅マイクロファイバーをベースシートと樹脂製メッシュとの間に挟み込んでいるので、銅マイクロファイバーを靴の中敷タイプの健康増進器具に確実に保持することができる。
この銅マイクロファイバーは銅イオンを発生させるものであり、その銅イオンによる抗菌効果で、靴の中を常に清潔に保たれる。
【００１４】
また、樹脂製メッシュを使用することで、メッシュに空気溜まりを形成することができ、この空気溜まりの存在で断熱効果を高めることができる。
【００１５】
さらに、本発明の靴の中敷タイプの健康増進器具は、靴底に敷いて使用するものであるから、靴を履いて歩くという日常の生活の中に取り込んで、自然に利用することが可能であり、どんなに忙しい場合でもその利用のために時間をとることができないという事態は起こらない。
【００１６】
請求項２は、前記ベースシートに通気用の孔を形成したことを特徴とする。
このため、通気用の孔を通して良好に換気させることができるので、外部の冷気を取り込んだり、内部の温まった空気を排出したりすることができるようになる。
【００１７】
請求項３は、前記ベースシートに液状の抗菌剤が含浸されていることを特徴とする。
このため、靴内を清潔に保つことができ、さらに靴の履き心地を良好に保つことができる。
【００１８】
請求項４は、前記ベースシートは、ダンボール、布で形成されたことを特徴とする。
このため、ベースシートの形成が比較的簡単に行え、靴の中敷タイプの健康増進器具の製造コストを抑えることができる。
【００１９】
請求項５は、前記抗菌シートに無機質抗菌剤が含浸されていることを特徴とする。
このため、靴内を清潔に保つことができるので、靴の履き心地を良好に保つことができる。
【００２０】
請求項６は、前記抗菌シートの上面にポリエステルメッシュを着脱自在に貼り付けたことを特徴とする。
【００２１】
抗菌シートの上面はある程度粘着性があるため、未使用状態の靴の中敷タイプの健康増進器具にあっては、抗菌シートの上面にポリエステルメッシュを着脱自在に貼り付けておくことで、例えばこの健康増進器具を搬送する際に、健康増進器具の抗菌シート同士が付着することがなく、取り扱いが容易となる。
なお、このポリエステルメッシュは靴の中敷タイプの健康増進器具の使用時には簡単に剥がせるようになっている。
【００２２】
【発明の実施の形態】
以下添付図面に基づいて、本発明に係る靴の中敷タイプの健康増進器具の一実施の形態を詳説する。
図１は本発明に係る靴の中敷タイプの健康増進器具を示す分解斜視図、図２は本発明に係る靴の中敷タイプの健康増進器具からポリエステルメッシュを剥がした状態を示す平面図、図３は図２のＡ−Ａ線断面図、図４は図２のＢ部拡大図、図５は本発明に係る靴の中敷タイプの健康増進器具を靴底に敷いた状態を示す縦断面図である。
【００２３】
図１〜図３に示す靴の中敷タイプの健康増進器具１０は、吸水性に優れたベースシート１１の上面に樹脂製メッシュ１２を貼り付けるとともに、ベースシート１１と樹脂製メッシュ１２との間に銅マイクロファイバー１３を挟み込み、この樹脂製メッシュ１２の上面にクッションシート１４を貼り付け、このクッションシート１４の上面に抗菌シート１５を貼り付け、この抗菌シート１５の上面にポリエステルメッシュ１６を着脱自在に貼り付けている。
【００２４】
ベースシート１１は、ダンボールや布等で足１７の裏の形状に合わせて形成してあり、吸水性に優れた素材で形成してある。このように、ベースシート１１をダンボールや布で形成することで、吸水性を備えたベースシート１１を比較的簡単に形成できるようになる。
【００２５】
また、このベースシート１１は、ベースシート１１の前半分に通気用の孔１９を形成している。このように形成したベースシート１１には、液状の抗菌剤が含浸されている。
【００２６】
樹脂製メッシュ１２は、樹脂材でメッシュ状に一体成形され、その外形をベースシート１１と同じ形状に形成している。
樹脂製メッシュ１２をベースシート１１に重ね合わせることで、図４に示すようにメッシュの空間１２ａを形成することができ、この複数の空間１２ａに空気溜まりを形成することができる。
【００２７】
この樹脂製メッシュ１２とベースシート１１との間に銅マイクロファイバー１３を挟み込むことで、銅マイクロファイバー１３を靴の中敷タイプの健康増進器具１０中に確実に保持させることができる。
よって、靴の中敷タイプの健康増進器具１０の使い勝手を好適に保つことができる。
【００２８】
銅マイクロファイバー１３は、直径１５〜８０ミクロンの超極細銅線のものが好適であるが、特に３０ミクロン程度のものが最も使いやすい。
この銅マイクロファイバー１３は、そこから発せられる銅イオン及び銅の持つ電位差により抗菌効果を発揮する。
【００２９】
クッションシート１４は、図１に示すように樹脂性メッシュ１２の略中央、すなわち足１７の裏のツボ１８（図５参照）に相当する位置に貼り付けられている。
図１、図３に示すように、このクッションシート１４の厚さｔは、抗菌シート１５の突起２０が足１７の裏のツボ１８を好適に押圧できるように設定されている。
【００３０】
クッションシート１４に貼り付けられた抗菌シート１５は、表面に複数の突起２０が形成され、この複数の突起２０で足１７の裏のツボ１８をより好適に押圧できる。
【００３１】
またこの抗菌シート１５は、足１７（図５参照）の裏の体温と、そこから発せられる遠赤外線に反応して摩擦エネルギーを放射することができ、その摩擦エネルギーで足１７の裏を刺激できるように形成されている。
なお、抗菌シート１５には無機質抗菌剤が含浸されているので、これにより靴２３（図５参照）の内部を清潔に保つことができる。
【００３２】
この抗菌シート１５の上面には、ポリエステルメッシュ１６が着脱自在に貼り付けられている。
抗菌シート１５の上面はある程度粘着性があるが、未使用状態の靴の中敷タイプの健康増進器具１０にあっては、抗菌シート１５の上面にポリエステルメッシュ１６を着脱自在に貼り付けることで、例えば靴の中敷タイプの健康増進器具１０を搬送する際に、靴の中敷タイプの健康増進器具１０同士が付着せず、取り扱いが容易になる。
【００３３】
なお、このポリエステルメッシュ１６は、靴の中敷タイプの健康増進器具１０の使用時には簡単に剥がすことができる。
【００３４】
つぎに、靴の中敷タイプの健康増進器具１０を使用する例を、図５に基づいて説明する。
この靴の中敷タイプの健康増進器具１０を使用するときには、まず抗菌シート１５からポリエステルメッシュ１６（図１参照）を剥がし、つぎに図５に示すように靴の中敷タイプの健康増進器具１０を靴底２２に敷き、ついで靴の中敷タイプの健康増進器具１０を敷いた靴２３を足１７に履き、この状態で歩行すればよい。
【００３５】
この靴の中敷タイプの健康増進器具１０によれば、クッションシート１４の上面に抗菌シート１５を貼り付け、抗菌シート１５の表面に複数の突起を形成してあるので、靴の中敷タイプの健康増進器具１０を敷いた靴２３を履いて歩行するだけで、抗菌シート１５の表面に形成した複数の突起２０を、足１７の裏のツボ１８に当てることができ、そのツボ１８を好適に刺激することができる。
【００３６】
ツボ（身体）１８から発せられる体温と遠赤外線に反応して、抗菌シート１５から「摩擦エネルギー」が放射され、この「摩擦エネルギー」でツボ１８にマッサージを受けたと同じ現象が発揮される。
【００３７】
これにより、足１７の裏が人間の手でこすられて温かくなるという現象と同じような効果を得ることができ、足１７の裏にある様々なツボ１８が刺激されて活性化し、その結果、この健康増進器具１０を使用した人の体調を良くするという現象を得ることができる。
【００３８】
また、靴の中敷タイプの健康増進器具１０を構成するベースシート１１には通気用の孔１９（図１参照）を複数個形成したので、靴２３内の空気を通気用の孔１９を通して良好に換気することができる。
【００３９】
よって、この通気用の孔１９を通じて、外部の冷気を取り込んだり、内部の温められた空気を排出したりすることが可能となる。
このため、靴２３内の空気を好適に維持して靴２３の履き心地を良好に保つことができる。
【００４０】
また、ベースシート１１を吸水性に優れたものとしたので、足１７から発汗した汗はベースシート１１で吸い取られることとなる。
よって、靴２３の中に溜まった汗で足１７が蒸れることがなく、足１７を快適に保つことができる。
【００４１】
さらに、ベースシート１１に液状の抗菌剤を含浸することで、靴２３内を清潔に保つことができるようになり、靴２３の履き心地を一層良好に保つことができる。
【００４２】
また、ベースシート１１に樹脂製メッシュ１２を重ね合わせることで、メッシュの空間１２ａ（図４参照）を形成し、この複数の空間１２ａの存在で空気溜まりを形成することができる。
よって、この空気溜まりで断熱効果を高めることができ、靴２３の履き心地を一層快適に保つことができる。
【００４３】
さらに、ベースシート１１と樹脂製メッシュ１２との間に銅マイクロファイバー１３を挟み込むことで、銅マイクロファイバー１３から発せられる銅イオン及び銅の持つ電位差により抗菌効果を発揮することができ、銅イオンによる抗菌効果で靴２３の中を十分清潔に保つことができる。
【００４４】
また、抗菌シート１５には無機質抗菌剤が含浸されているので、靴２３の内部を清潔に保つことができ、靴２３の履き心地を良好にできる。
【００４５】
上述したように靴の中敷タイプの健康増進器具１０は、靴底２２に敷いて自然に使用することができるので、靴の中敷タイプの健康増進器具１０を使用するための時間を特別に捻出しなくても、靴２３を履いて歩くという日常の生活の中で自然に靴の中敷タイプの健康増進器具１０の使用が可能となる。
従って、多忙な人でも長期間に亘って無理なく簡単に使用できる。
【００４６】
つぎに、抗菌シート１５の具体的な成分を実施例で説明する。
実施例
以下に、抗菌シート１５に含有される成分の一例を示す。抗菌シート１５は、合成ゴム（ＮＢＲ）を主材とし、これに低圧ポリエチレン樹脂と、ゴムの補強増量剤であるハイトロンと、着色剤としてのチタンと、分散促進剤としてのステアリン酸とを下記の重量配分率で配合し、この配合物をゴム専用ニーダーにて撹拌混錬し、この撹拌混錬により得られた混錬物内にセラミックパウダー及び無機質抗菌剤を下記の重量配合率で混合し成形加工したものである。
【００４７】
１．合成ゴム（ＮＢＲ）　　　　５０〜６０　％
２．低圧ポリエチレン樹脂　　　　８〜１５　％
３．ハイトロン　　　　　　　　　３〜１０　％
４．トルマリン　　　　　　　　　５〜　８　％
５．酸化チタン　　　　　　　　　１〜　４　％
６．ステアリン酸　　　　　　０．２〜０．６　％
７．セラミックパウダー　　　　２０〜２５　％
８．無機質抗菌剤　　　　　　０．４〜　６　％
【００４８】
耐油性に優れた合成ゴム（ニトリルブタジエンラバー「ＮＢＲ」）を５０〜６０％含ませた。５０％より少ないと抗菌シートの硬度が高すぎ、６０％より多いと抗菌シートの硬度を十分に保てないからである。
【００４９】
抗菌シートの適正硬度を確保するために、低圧ポリエチレン樹脂を８〜１５％含ませた。
８％より少ないと抗菌シートの適正硬度を確保することができず、１５％より多いと練りこみ工程において、材料が滑動してロールにかかりにくくなり、混練が不可能になるからである。
なお、低圧ポリエチレン樹脂のゴム硬度は７０度である。
【００５０】
補強増量剤の目的で、水分の親水性に優れるホワイトカーボンの一種であるハイトロンを３〜１０％含ませた。
３％より少ないと抗菌シート表面の親水性が不足し、１０％より多いと抗菌シートが硬くなりすぎて適正硬度を確保することができなくなる。
【００５１】
またトルマリンが５％より少ないと、マイナスイオンの発生が不足し、トルマリンが８％より多いと、抗菌シートが硬くなりすぎて適正硬度を確保することができなくなる。
【００５２】
耐薬品性、耐候性に優れた白色顔料として、金属元素である酸化チタンを１〜４％含ませた。
１％より少ないと本件混錬物においては、ベージュ系の色合いを出すのに不十分であり、４％より多いと全体に白みがかるという問題があるからである。
【００５３】
ゴムの分散促進剤としてのステアリン酸を０．２〜０．６％含ませた。
０．２％より少ないと本件混錬物においては、分散促進作用に欠け、０．６％より多いと練り込み工程における合成ゴムの加硫が進むため、後の熱プレス工程で製品の密度を上げ、合成ゴムの加硫の最終仕上げを行なう際に支障を来すという問題があるからである。
【００５４】
ゴムの分散促進剤としてのセラミックパウダー（遠赤外線の効果を有する）を２０〜２５％含ませた。
２０％より少ないと本件混錬物においては、分散促進作用に欠けるとともに、遠赤外線の発生効果が期待できない。
またセラミックパウダーが２５％より多いと、抗菌シートが硬くなりすぎて適正硬度を確保することができなくなる。
【００５５】
この靴の中敷タイプの健康増進器具１０の抗菌効果の主体をなす無機質抗菌剤、例えばバクテキラー（鐘紡株式会社製）を０．４〜６％合成ゴムの主材に混錬すると、主材中に万遍なく均一に分散保持され、抗菌効果を発揮する。
０．４％より少ないと本件混錬物においては、抗菌効果が不足し、６％より多いと合成ゴムの練り工程時に、材料が滑動してロールにかかりにくくなり支障が出るという問題があるからである。
【００５６】
なお、靴の中敷タイプの健康増進器具１０を適用する靴２３としては、一例として通勤用の靴が該当するが、これに限られることなく、ゴルフ靴、登山靴、ハイキング靴に適用することも可能であり、さらに釣り、ダンスやスポーツを行なう際に履く靴に適用することも可能である。
【００５７】
【発明の効果】
以上述べたように、請求項１による靴の中敷タイプの健康増進器具によれば、クッションシートの上面に抗菌シートを貼り付け、抗菌シートの表面には複数の突起を形成したので、抗菌シートの突起で足の裏のツボを十分に刺激することができ、足の裏からの体温と遠赤外線に反応して抗菌シートからマッサージと同じ現象を起こす「摩擦エネルギー」が放射される。
これにより、足の裏が人間の手でこすられて温かくなるのと同じような効果が得られ、足の裏にある様々なツボが刺激されて活性化し、その結果の現象として内臓や臓器の働きを活発にしたり、膝や腰の痛みを解消して体調を良くすることができる。
【００５８】
また、吸水性に優れたベースシートを使用することで、足から発汗した汗をベースシートで吸い取ることができるので、靴の中に溜まった汗で足が蒸れることを防止することができ、足を快適に保つことができる。
【００５９】
さらに、ベースシートと樹脂製メッシュとの間に銅マイクロファイバーを挟み込むことで、銅マイクロファイバーを靴の中敷タイプの健康増進器具中に確実に取り付けることができ、靴の中敷タイプの健康増進器具の使い勝手を好適にできる。
【００６０】
また、銅マイクロファイバーは銅イオンの発生が可能であり、この銅マイクロファイバーを靴の中敷タイプの健康増進器具に取り付けることで、銅イオンによる抗菌効果が得られ、靴の中を清潔に保てるようになる。
【００６１】
つぎに、樹脂製メッシュを使用することで、メッシュに空気溜まりを形成することができ、この空気溜まりで断熱効果を高めることができるので、靴の履き心地を快適に保つことができる。
【００６２】
さらに、本発明は靴底に敷いて使用することができるので、靴の中敷タイプの健康増進器具を使用するための時間を特別に捻出しなくても、靴を履いて歩くという日常の生活の中で、多忙な人でも長期間に亘って無理なく自然に使用することができる。
【００６３】
請求項２は、ベースシートに通気用の孔を形成することで、靴内の空気を通気用の孔を通して良好に換気することができ、外部の冷気を好適に取り込んだり、内部の温まった空気を排出したりできるようになる。
【００６４】
請求項３は、ベースシートに液状の抗菌剤を含浸することで、靴内を清潔に保つことができ、靴の履き心地を良好に保てるようになる。
【００６５】
請求項４は、ベースシートをダンボールや布で形成することで、ベースシートを比較的簡単に形成することができ、靴の中敷タイプの健康増進器具の製造コストを抑えることができる。
【００６６】
請求項５は、抗菌シートに無機質抗菌剤を含浸することで、靴内を清潔に保つことができ、靴の履き心地を良好に保てるようになる。
【００６７】
請求項６は、抗菌シートの上面にポリエステルメッシュを着脱自在に貼り付けることで、例えば靴の中敷タイプの健康増進器具を搬送する際に、靴の中敷タイプの健康増進器具同士が付着することがなく、取り扱いが容易になる。
【図面の簡単な説明】
【図１】本発明に係る靴の中敷タイプの健康増進器具を示す分解斜視図である。
【図２】本発明に係る靴の中敷タイプの健康増進器具からポリエステルメッシュを剥がした状態を示す平面図である。
【図３】図２のＡ−Ａ線断面図である。
【図４】図２のＢ部拡大図である。
【図５】本発明に係る靴の中敷タイプの健康増進器具を靴底に敷いた状態を示す縦断面図である。
【符号の説明】
１０…靴の中敷タイプの健康増進器具
１１…ベースシート
１２…樹脂製メッシュ
１２ａ…空間
１３…銅マイクロファイバー
１４…クッションシート
１５…抗菌シート
１６…ポリエステルメッシュ
１７…足
１８…ツボ
１９…通気用の孔
２０…突起
２２…靴底
２３…靴
【図１】
2004065717.tif 000003
【図２】
2004065717.tif 000004
【図３】
2004065717.tif 000005
【図４】
2004065717.tif 000006
【図５】
2004065717.tif 000007